(57)【要約】【課題】セルフタイマーモードが設定されてから作動するまでの時間を短縮することができるとともに、省電力化を図ることができる撮影装置を提供すること。【解決手段】デジタルカメラ１は、所定の操作から一定時間経過後にシャッターレリーズ動作が行われるセルフタイマーモードを有し、被写体に向けて補助光を発光するとともに、セルフタイマーモードが設定されたときにはシャッターレリーズ動作のタイミングを示すために発光するストロボ５と、メインコンデンサ３６に予め設定された電圧値まで充電が行われるようにした後にストロボ５を発光させる制御を行うＣＰＵ２８を備え、補助光を発光するときのメインコンデンサ３６の第１の電圧値と、セルフタイマーモードにおいてタイミングを示すために発光するときのメインコンデンサ３６の第２の電圧値とが個別に設定されている。【選択図】      図３
2004240295.tif 000002
【特許請求の範囲】
【請求項１】
所定の操作から一定時間経過後にシャッターレリーズ動作が行われるセルフタイマーモードを有し、
被写体に向けて補助光を発光するとともに、前記セルフタイマーモードが設定されたときには前記シャッターレリーズ動作のタイミングを示すために発光するストロボと、メインコンデンサに予め設定された電圧値まで充電が行われるようにした後に前記ストロボを発光させる制御を行うストロボ制御手段を備え、
前記補助光を発光するときの前記メインコンデンサの第１の電圧値と、前記セルフタイマーモードにおいて前記タイミングを示すために発光するときの前記メインコンデンサの第２の電圧値とが個別に設定されていることを特徴とする撮影装置。
【請求項２】
前記第２の電圧値は、前記第１の電圧値に比して低く設定されていることを特徴とする請求項１に記載の撮影装置。
【請求項３】
前記第２の電圧値は、前記タイミングを示すために必要なエネルギーに応じた電圧値であることを特徴とする請求項１又は請求項２に記載の撮影装置。
【請求項４】
前記ストロボ制御手段は、前記補助光を発光する必要がない場合は、前記セルフタイマーモードが設定されたときに前記メインコンデンサの充電を開始させることを特徴とする請求項１乃至請求項３のいずれか１項に記載の撮影装置。
【請求項５】
前記ストロボ制御手段は、前記メインコンデンサの充電の開始に先立って確認された前記メインコンデンサの電圧値が前記第２の電圧値以上の場合は、前記メインコンデンサの充電が行われないようにすることを特徴とする請求項４に記載の撮影装置。
【発明の詳細な説明】
【０００１】
【発明の属する技術分野】
本発明は、セルフタイマーモードにおいてシャッターレリーズ動作のタイミングを示すためにストロボの発光を行う撮影装置に関する。
【０００２】
【従来の技術】
従来より、セルフタイマーモードを備え、ユーザの設定によりセルフタイマー撮影が可能な撮影装置が知られている。このような撮影装置では、まずユーザがセルフタイマーモードを設定した後シャッターボタンを押すと、このシャッターボタンが押された時点から一定の時間経過後、例えば１０秒後にシャッターがレリーズされて（切られて）撮影が行われるようになっている。しかしながら、このようなセルフタイマー撮影においては、一定時間経過後撮影が行われるため、シャッターボタンを押してから実際に撮影が行われるまでのシャッターレリーズ動作のタイミングがユーザには分かりづらい。
【０００３】
このような不備を解消するために様々な方法が考えられているが、その一つとして、セルフタイマーモードが設定されたときにシャッターレリーズ動作のタイミングをユーザに知らせるためにストロボを利用するカメラ等の撮影装置が考案されている（例えば、特許文献１，２参照）。
【０００４】
このような撮影装置では、ストロボは、ユーザが低照度等の中で撮影を行う際に補助光を提供するために被写体に閃光を発する、いわゆる通常ストロボ撮影時の発光のほかに、セルフタイマーモードが設定されているときにはシャッターレリーズ動作のタイミングに合わせて１回又は複数回発光するようになっている。
【０００５】
【特許文献１】
特開平５−１８８４４３号公報
【特許文献２】
特開２００１−１３５７０号公報
【０００６】
【発明が解決しようとする課題】
ところで、ストロボは上述のように本来補助光を提供することを目的とするため、例えば撮影装置から３ｍほど離れた場所にある被写体に対しても十分なだけの光量の光を発する必要があり、その分多くのエネルギーを消費することとなる。このためには、ストロボ発光に必要なエネルギーを蓄えるメインコンデンサの容量と電圧値を大きくすることが必要となり、充電にかかる時間が長くなるとともに電源であるバッテリーの電力も大きく消費することとなる。
【０００７】
これに対して、セルフタイマーモード時においてシャッターレリーズ動作のタイミングを知らせる目的で発する光は、ユーザの注意を喚起することができればよいため、微小な光で十分である。しかしながら、上述のような従来の撮影装置では、シャッターレリーズ動作のタイミングを知らせるためにもストロボが用いられるため、その光は自ずと補助光として用いられる場合と同等の光量となり、多くの電力を消費する。また、充電時間も長くなるため、セルフタイマーモードが設定されてから作動するまでのユーザの待ち時間が長くなることになる。特に、セルフタイマーモード時においてストロボが点滅してシャッターレリーズ動作のタイミングを知らせる場合には、ストロボは複数回発光することとなるため、バッテリーの消費電力はより増大する結果となる。
【０００８】
本発明は、このような問題に鑑みてなされたもので、セルフタイマーモードが設定されてから作動するまでの時間を短縮することができるとともに、省電力化を図ることができる撮影装置を提供することを課題としている。
【０００９】
【課題を解決するための手段】
このような課題を解決するために、請求項１に記載の発明は、所定の操作から一定時間経過後にシャッターレリーズ動作が行われるセルフタイマーモードを有し、被写体に向けて補助光を発光するとともに、前記セルフタイマーモードが設定されたときには前記シャッターレリーズ動作のタイミングを示すために発光するストロボと、メインコンデンサに予め設定された電圧値まで充電が行われるようにした後に前記ストロボを発光させる制御を行うストロボ制御手段を備え、
前記補助光を発光するときの前記メインコンデンサの第１の電圧値と、前記セルフタイマーモードにおいて前記タイミングを示すために発光するときの前記メインコンデンサの第２の電圧値とが個別に設定されていることを特徴とする。
【００１０】
請求項２に記載の発明は、請求項１に記載の発明において、前記第２の電圧値は、前記第１の電圧値に比して低く設定されていることを特徴とする。
【００１１】
請求項３に記載の発明は、請求項１又は請求項２に記載の発明において、前記第２の電圧値は、前記タイミングを示すために必要なエネルギーに応じた電圧値であることを特徴とする。
【００１２】
請求項４に記載の発明は、請求項１乃至請求項３のいずれか１項に記載の発明において、前記ストロボ制御手段は、前記補助光を発光する必要がない場合は、前記セルフタイマーモードが設定されたときに前記メインコンデンサの充電を開始させることを特徴とする。
【００１３】
請求項５に記載の発明は、請求項４に記載の発明において、前記ストロボ制御手段は、前記メインコンデンサの充電の開始に先立って確認された前記メインコンデンサの電圧値が前記第２の電圧値以上の場合は、前記メインコンデンサの充電が行われないようにすることを特徴とする。
【００１４】
【発明の実施の形態】
以下、図面を参照して本発明の実施の形態について説明する。
【００１５】
図１は本発明の実施の形態に係る撮影装置としてのデジタルカメラを示すものである。デジタルカメラ１の正面２の中央には撮影光を入射させる撮像レンズ３が設けられ、撮像レンズ３の上方には、ユーザが目視によって撮影範囲等を確認するための光学ファインダ４と、被写体に向けて光を発するストロボ５とが設けられている。また、デジタルカメラ１の上面６にはシャッターボタン７が設けられるとともに、背面８には撮影した画像等を表示するＬＣＤ９と、動作指示や各種設定等を外部から行うための操作部１０とが設けられている。
【００１６】
操作部１０はストロボ撮影を設定するためのストロボ撮影ボタン１１と、セルフタイマーモードを設定するためのセルフタイマーボタン１２とを備えている。ユーザはストロボ撮影ボタン１１によってストロボ５を発光させるか否かを選択することができ、また、セルフタイマーボタン１２によってセルフタイマーモードの設定ができ、このセルフタイマーモードでは、シャッターボタン７が押されると一定の時間が経過した後にシャッターがレリーズされて撮影が行われるようになる。
【００１７】
さらに、デジタルカメラ１の側面１３にはメモリーカード等の外部拡張メモリ１４（図２参照）が取り外し可能に装着される外部拡張メモリ装着部１５が設けられている。また、デジタルカメラ１は内部にバッテリー１６（図２参照）が取り外し可能にセットされる図示を略すバッテリー装填部を備えている。
【００１８】
図２はデジタルカメラ１の概略構成を示すブロック図である。図２において、符号１９はレンズユニット、２０はモータドライバ、２１はＣＣＤ（電荷結合素子）、２２はＣＤＳ回路（相関２重サンプリング回路）、２３はＡ／Ｄ変換部（アナログデジタルコンバータ）、２４はＳＧ部（制御信号生成部）、２５はデジタル信号処理回路、２６は圧縮伸長回路、２７はフレームメモリ、２８はＣＰＵ、２９はＲＯＭ、３０はＯＳＤをそれぞれ示す。
【００１９】
レンズユニット１９は、撮像レンズ３、絞り３２等を有する。モータドライバ２０は、このレンズユニット１９の駆動を行い、モニタリングや画像取り込み時に適切な光学条件を設定する。
ＣＣＤ２１は、レンズユニット１９を通じて入力された映像を電気信号（アナログ画像データ）に変換する。ＣＤＳ回路２２は、そのＣＣＤ撮像素子に対するノイズ低減化のための回路である。Ａ／Ｄ変換部２３は、ＣＣＤ２１からのアナログ画像データをデジタル画像データに変換する。すなわち、ＣＰＵ２８からの指示により、ＣＣＤ２１の出力信号はＣＤＳ回路２２及びＡ／Ｄ変換部２３を経て、最適なサンプリング周波数（例えば、ＮＴＳＣ信号のサブキャリア周波数の整数倍）によりデジタル信号に変換される。このデジタル信号がデジタル信号処理回路２５に送られる。
【００２０】
デジタル信号処理回路２５は、フレームメモリ２７を介しながら、Ａ／Ｄ変換部２３によって変換されたデジタル画像データを輝度データと色差データとに分けて、γ（ガンマ）補正及び画像圧縮・伸長のためのデータ処理等を行う。圧縮伸長回路２６はＪＰＥＧに準拠しており、デジタル画像データを直交変換・ハフマン符号化して圧縮、又はハフマン復号化・逆直交変換して伸長する。圧縮伸長回路２６で圧縮処理された画像データは、ＣＰＵ２８により所定のファイルフォーマット形式に整えられた後に、デジタルカメラ１に着脱可能なメモリカード等の外部拡張メモリ１４に記録される。
【００２１】
ＳＧ部２４は、ＣＣＤ２１の駆動や露光時間制御を行うための各種のタイミングパルスを生成するものである。
【００２２】
ＣＰＵ２８は、ＲＯＭ２９に格納された制御プログラムに従って操作部１０を通じたユーザからの指示に従いデジタルカメラ１の各種動作を制御する。具体的には、ＣＰＵ２８は外部拡張メモリ１４へのデジタル画像データ等の記録動作の制御、外部拡張メモリ１４に記録されているデジタル画像データ等の再生動作の制御等に加えて、ストロボ制御手段としてのストロボ５の発光制御を行う。
【００２３】
また、カメラ電源はバッテリー１６からＣＰＵ２８、ストロボ５等のデジタルカメラ１の各部に供給される。
【００２４】
ＬＣＤ９は、撮影により得られるデジタル画像データや、外部拡張メモリ１４の記録データを伸張処理して得られる画像データ等を表示する。
【００２５】
ストロボ５は、充電回路３５と、メインコンデンサ３６と、発光回路３７と、発光部３８とを備えている。ストロボ５は、ＣＰＵ２８の制御のもとで、ユーザが低照度等の中で撮影を行う際に補助光を提供するために被写体に光を発する、いわゆるストロボ撮影のときに、自動で又はストロボ撮影ボタン１１を通じたユーザの指示により発光する一方、セルフタイマーモードが設定されているときにシャッターレリーズ動作のタイミングをユーザに知らせるために発光する、いわゆるセルフタイマー設定時のタイミング報知のためにも発光するようになっている。
【００２６】
充電回路３５は、バッテリー１６から電源供給を受けて、その電圧を昇圧させる回路である。メインコンデンサ３６はストロボ５の発光に必要なエネルギーを蓄えるものであり、このメインコンデンサ３６に、充電回路３５を介して予め設定された電圧値まで充電が行われる。予め設定された電圧値には２つの電圧値が使用の目的に応じて設定してあり、１つは第１の電圧値としてのストロボ撮影時の補助光提供に用いられる電圧値であり、もう１つは第２の電圧値としてのセルフタイマー設定時のタイミング報知に用いられる電圧値である。ストロボ撮影時の補助光提供に用いられる電圧値と、セルフタイマー設定時のタイミング報知に用いられる電圧値は、それぞれその使用目的に必要とされるエネルギーに応じた電圧値である。すなわち、ストロボ５がストロボ撮影時の補助光提供に用いられる場合は大きな光量の光を発する必要があるのに対して、セルフタイマー設定時のタイミング報知に用いられる場合は微小の発光で十分なため、後者の電圧値（第２の電圧値）は前者の電圧値（第１の電圧値）よりも低く設定されている。
【００２７】
発光回路３７は、メインコンデンサ３６の放電によって発光部３８に電流を流すためのスイッチの役割を有する回路であり、発光部３８は、実際に発光を行う図示を略す放電管、放電管からの光を反射する図示を略す反射傘等を備えている。
【００２８】
上述のように構成されたデジタルカメラ１において、ストロボ撮影時の補助光提供に用いられる電圧値と、セルフタイマー設定時のタイミング報知に用いられる電圧値とのいずれの電圧値までメインコンデンサ３６の充電を行うかは、使用の目的に応じてＣＰＵ２８が判断を行う。
【００２９】
すなわち、デジタルカメラ１がストロボ撮影の状態であるとき、具体的には、ストロボ撮影ボタン１１を介してユーザによってストロボ撮影が選択されているとき、又は被写体の明るさ等の測光情報に基づいて自動でストロボ撮影が設定されているとき等は、ＣＰＵ２８はストロボ撮影の状態であることを認識して、セルフタイマーモードの設定の有無にかかわらず（セルフタイマーモードの設定の認識を待たずに）、メインコンデンサ３６に前者の電圧値（第１の電圧値）まで充電が行われるように制御する。
【００３０】
一方、セルフタイマーモードが設定されると、ＣＰＵ２８がセルフタイマーモードの設定を認識した後、ストロボ撮影の状態であるか否かを判断し、ストロボ撮影の状態である場合には、上述の通り既に後者の電圧値以上の充電が行われているため追加の充電は行わず、ストロボ撮影の状態でない場合には、メインコンデンサ３６に後者の電圧値（第２の電圧値）まで充電が行われるように制御する。
【００３１】
すなわち、セルフタイマーモードが設定されてからシャッターレリーズ動作のタイミングをユーザに知らせるためにストロボ５が発光するまでの流れを説明すると、デジタルカメラ１において、まずユーザがセルフタイマーボタン１２によってセルフタイマーモードを設定すると、図３に示すように、ＣＰＵ２８はセルフタイマーモードが設定されたことを認識した後（Ｓ１）、ストロボ撮影の状態であるか否かを判断する（Ｓ２）。具体的には、ストロボ撮影ボタン１１を介してユーザによってストロボ撮影が選択されている場合、又は被写体の明るさ等の測光情報に基づいて自動でストロボ撮影が設定されている場合等はＣＰＵ２８はストロボ撮影の状態であると判断する。一方、ユーザの指示や自動設定がない場合等はストロボ撮影の状態にないと判断する。
【００３２】
ステップＳ２において、ＣＰＵ２８がストロボ撮影の状態にある判断した場合は、ユーザに対してメインコンデンサ３６の充電が完了したことを知らせるための図示を略すネオンランプを点灯させる等してユーザによってシャッターボタン７が押されるのを待つ（Ｓ８）。これは、上述の通り、セルフタイマーモードが設定されるか否かにかかわらず、ストロボ撮影状態になった時点でメインコンデンサ３６に予め設定されたストロボ撮影時の補助光提供に用いられる電圧値まで充電が行われるようになっているからである。したがって、この場合はさらにメインコンデンサ３６に充電を行うことなく、ステップＳ８に移行する。
【００３３】
一方、ステップＳ２において、ＣＰＵ２８がストロボ撮影の状態にないと判断した場合は、メインコンデンサ３６の現在の電圧値を確認し（Ｓ３）、この確認した現在の電圧値が予め設定されたセルフタイマー設定時のタイミング報知に用いられる電圧値よりも小さいか否かを判断する（Ｓ４）。
【００３４】
ステップＳ４において、ＣＰＵ２８が確認した現在の電圧値がセルフタイマー設定時のタイミング報知に用いられる電圧値よりも小さくないと判断した場合は、ユーザに対してメインコンデンサ３６の充電が完了したことを知らせるための図示を略すネオンランプを点灯させる等してユーザによってシャッターボタン７が押されるのを待つ（Ｓ８）。一方、ステップＳ４において、ＣＰＵ２８が確認した現在の電圧値がセルフタイマー設定時のタイミング報知に用いられる電圧値よりも小さいと判断した場合は、メインコンデンサ３６に充電が行われるようにする（Ｓ５）。ステップＳ５の後も、ＣＰＵ２８は現在の電圧値を確認し、その確認した電圧値がセルフタイマー設定時のタイミング報知に用いられる電圧値と同じ又はそれ以上になったか否かをチェックしながら（Ｓ６）充電制御を行う（Ｓ５）。そして、ステップ６において、ＣＰＵ２８が現在の電圧値がセルフタイマー設定時のタイミング報知に用いられる電圧値と同じ又はそれ以上になったと判断したときに、メインコンデンサ３６の充電が停止されるようにし（Ｓ７）、ユーザに対してメインコンデンサ３６の充電が完了したことを知らせるための図示を略すネオンランプを点灯させる等してユーザによってシャッターボタン７が押されるのを待つ（Ｓ８）。
【００３５】
ステップＳ８において、ＣＰＵ２８がシャッターボタン７が押されたことを確認すると、ＣＰＵ２８はシャッターレリーズまでの予め設定された一定時間をカウントしながらシャッターレリーズ動作のタイミングに合わせて、シャッターがレリーズされる直前にストロボ５を微小発光させる（Ｓ９）。
【００３６】
この実施の形態に係るデジタルカメラ１では、ストロボ撮影時の補助光提供に用いられるメインコンデンサ３６の電圧値と、セルフタイマー設定時のタイミング報知に用いられるメインコンデンサ３６の電圧値とが個別に設定されているので、それぞれの使用の目的に合わせて必要とされる光量に応じた電圧値を定めることができる。発光の光量は、メインコンデンサ３６に蓄えられる電荷の量で決まり、これはメインコンデンサ３６の容量と電圧値の２乗の積に比例するため、電圧値を変えることで目的に合わせた光量を得ることができからである。したがって、それぞれ使用の目的に合わせた光量の分に応じて必要とされるエネルギーだけを効率よくメインコンデンサ３６に蓄えることができ、バッテリー１６の不必要な電力消費を防止し省電力化を図ることができる。また、蓄えるエネルギーが少なければ、メインコンデンサ３６の充電にかかる時間も少なくてすむため、目的に応じたメインコンデンサ３６の充電時間の短縮化が可能となる。
【００３７】
また、セルフタイマー設定時のタイミング報知に用いられるメインコンデンサ３６の電圧値が、ストロボ撮影時の補助光提供に用いられるメインコンデンサ３６の電圧値に比べて低く設定されているので、ストロボ撮影の状態下にない中でセルフタイマーモードが設定された場合は、従来の撮影装置に比べてメインコンデンサ３６の充電にかかる時間が少なくなり、セルフタイマーモードが設定されてから作動するまでの時間が短くなってユーザの待ち時間を短縮化することができる。また、従来の撮影装置に比べてバッテリー１６の電力消費を防止し省電力化を図ることができる。
【００３８】
さらに、ストロボ撮影時の補助光提供に用いられるメインコンデンサ３６の電圧値と、セルフタイマー設定時のタイミング報知に用いられるメインコンデンサ３６の電圧値は、それぞれその使用目的に必要とされるエネルギーに応じた電圧値であるので、目的に応じた必要限度のエネルギー及び充電時間ですみ、省電力化及び充電時間の短縮化が可能となる。特に、ストロボ撮影の状態下にない中でセルフタイマーモードが設定された場合は、セルフタイマーモードが設定されているときにシャッターレリーズ動作のタイミングをユーザに知らせるために発光する、いわゆるセルフタイマー設定時のタイミング報知のための微小発光に必要なエネルギーのみをメインコンデンサ３６に蓄えることができ、充電時間を短縮することができるとともに、バッテリー１６の電力消費を必要限度に抑えて省電力化を図ることができる。
【００３９】
また、ストロボ撮影の状態でない場合は、セルフタイマーモードが設定されたときにメインコンデンサ３６に充電が行われるようにしたので、セルフタイマー設定時のタイミング報知のためのストロボ５の発光に必要なエネルギーが不足になることがない。
【００４０】
また、ストロボ撮影の状態でない場合において、メインコンデンサ３６の充電が行われる前に、メインコンデンサ３６の現在の電圧値を確認し、この現在の電圧値が予め設定されたセルフタイマー設定時のタイミング報知に用いられる電圧値以上の場合は、メインコンデンサ３６の充電が行われないようにしたので、不必要な充電動作を行うことがない。すなわち、メインコンデンサ３６の現在の電圧値がセルフタイマー設定時のタイミング報知に用いられる電圧値以上であるときにはセルフタイマーモードが設定されてから作動するまでの待ち時間が発生しないため、ユーザは即座にセルフタイマーによる撮影を開始することができる。
【００４１】
なお、本発明は上述した形態に限られるものではなく、例えば本実施の形態ではデジタルカメラ１を例にとって説明したが、撮影装置であれば、フィルムを用いたカメラ等であってもよい。
【００４２】
また、本実施の形態ではセルフタイマー設定時のタイミング報知のためのストロボ５の発光はシャッターがレリーズされる直前の１回のみとしたが、シャッターレリーズ動作のタイミングに合わせて点滅するものであって複数回発光するものであってもよい。
【００４３】
【発明の効果】
以上説明したように、請求項１に係る発明によれば、補助光を発光するときのメインコンデンサの第１の電圧値と、セルフタイマーモードにおいてシャッターレリーズ動作のタイミングを示すために発光するときのメインコンデンサの第２の電圧値とが個別に設定されているので、それぞれの使用の目的に合わせて必要とされる光量に応じた電圧値を定めることができる。したがって、それぞれ使用の目的に合わせた光量の分に応じて必要とされるエネルギーだけを効率よくメインコンデンサに蓄えることができ、バッテリーの不必要な電力消費を防止し省電力化を図ることができる。また、蓄えるエネルギーが少なければ、メインコンデンサの充電にかかる時間も少なくてすむため、目的に応じたメインコンデンサの充電時間の短縮化が可能となる。
【００４４】
請求項２に係る発明によれば、第２の電圧値は前記第１の電圧値に比して低く設定されているので、ストロボ撮影の状態下にない中でセルフタイマーモードが設定された場合は、従来の撮影装置に比べてメインコンデンサの充電にかかる時間が少なくなり、セルフタイマーモードが設定されてから作動するまでの時間が短くなってユーザの待ち時間を短縮化することができる。また、従来の撮影装置に比べてバッテリーの電力消費を防止し省電力化を図ることができる。
【００４５】
請求項３に係る発明によれば、第２の電圧値はタイミングを示すために必要なエネルギーに応じた電圧値であるので、目的に応じた必要限度のエネルギー及び充電時間ですみ、省電力化及びユーザの待ち時間の短縮化が可能となる。すなわち、ストロボ撮影の状態下にない中でセルフタイマーモードが設定された場合は、セルフタイマーモードが設定されているときにシャッターレリーズ動作のタイミングをユーザに知らせるために発光する、いわゆるセルフタイマー設定時のタイミング報知のための微小発光に必要なエネルギーのみをメインコンデンサに蓄えることができ、充電時間の短縮によりセルフタイマーモードが設定されてから作動するまでの時間が短くなってユーザの待ち時間を短縮化することができるとともに、バッテリーの電力消費を必要限度に抑えて省電力化を図ることができる。
【００４６】
請求項４に係る発明によれば、ストロボ制御手段は補助光を発光する必要がない場合は、セルフタイマーモードが設定されたときにメインコンデンサの充電を開始させることとしたので、セルフタイマー設定時のタイミング報知のためのストロボの発光に必要なエネルギーが不足になることがない。
【００４７】
請求項５に係る発明によれば、ストロボ制御手段はメインコンデンサの充電の開始に先立って確認されたメインコンデンサの電圧値が第２の電圧値以上の場合は、メインコンデンサの充電が行われないようにすることとしたので、不必要な充電動作を行うことがない。すなわち、メインコンデンサの現在の電圧値がセルフタイマー設定時のタイミング報知に用いられる電圧値以上であるときにはセルフタイマーモードが設定されてから作動するまでの待ち時間が発生しないため、ユーザは即座にセルフタイマーによる撮影を開始することができる。
【図面の簡単な説明】
【図１】本発明の実施の形態１に係るデジタルカメラを示し、（ａ）はデジタルカメラの正面斜視図であり、（ｂ）はデジタルカメラの背面斜視図である。
【図２】図１のデジタルカメラの概略構成を示すブロック図である。
【図３】図１のデジタルカメラにおいて、セルフタイマーモードが設定されてからシャッターレリーズ動作のタイミングをユーザに知らせるためにストロボが発光するまでの流れを示したフローチャートである。
【符号の説明】
１      デジタルカメラ
５      ストロボ
２８    ＣＰＵ（ストロボ制御手段）
３６    メインコンデンサ
【図１】
2004240295.tif 000003
【図２】
2004240295.tif 000004
【図３】
2004240295.tif 000005